(57)【特許請求の範囲】
【請求項１】
外部との通信を行う外部インターフェースを含む生鮮業務発注支援システムであって、
前記外部インターフェースより受信した小売業者用端末からの発注台帳の提出先を検索し、提出先毎に発注台帳に基づく発注情報を振り分け、前記提出先毎に振り分けられた発注情報を卸売業者用端末への発注台帳に変換し、前記卸売業者用端末への発注台帳をＥＤＩデータに変換し、前記提出先毎に送信し、
前記外部インターフェースより受信した卸売業者用端末からの発注台帳の提出先を検索し、提出先毎に発注台帳に基づく発注情報を振り分け、前記提出先毎に振り分けられた発注情報を小売業者用端末への発注台帳に変換し、前記提出先毎に送信することを特徴とする生鮮業務発注支援システム。
【請求項２】
外部との通信を行う外部インターフェースと、前記外部インターフェースを用いてデータの送受信を行う送受信部と、制御部と、変換部と、ＥＤＩデータ生成部と、を含む生鮮業務発注支援システムであって、
前記送受信部が、前記外部インターフェースより受信した小売業者用端末からの発注台帳を受信し、前記外部インターフェースより受信した卸売業者用端末からの発注台帳を受信し、
前記制御部は、小売業者用端末からの発注台帳を受信した場合、前記発注台帳の提出先を検索し、前記変換部に対して提出先毎に前記発注台帳の発注情報の振り分け、振り分けられた発注情報から卸売業者用端末への発注台帳への変換を指示し、前記ＥＤＩデータ生成部に対して卸売業者用端末への発注台帳からＥＤＩデータを生成することを指示し、
前記制御部は、卸売業者用端末からの発注台帳を受信した場合、前記発注台帳の提出先を検索し、前記変換部に対して提出先毎に前記発注台帳の発注情報の振り分け、振り分けられた発注情報から小売業者用端末への発注台帳への変換を指示することを特徴とする生鮮業務発注支援システム。
【発明の詳細な説明】
【技術分野】
【０００１】
本発明は、卸売業者の用いる端末（卸売業者用端末）と小売業者の用いる端末（小売業者用端末）との間における発注支援システム、特に生鮮食料品などのタイムリーな発注情報授受を必要とするものに関する。
【背景技術】
【０００２】
平成１９年以降、流通業のＥＤＩ（Ｅｌｅｃｔｒｏｎｉｃ  Ｄａｔａ  Ｉｎｔｅｒｃｈａｎｇｅ）標準仕様である「流通ＢＭＳ（Ｂｕｓｉｎｅｓｓ  Ｍｅｓｓａｇｅ  Ｓｔａｎｄａｒｄ）」が、政府主体のもと段階的に策定・公開されている。流通ＢＭＳ導入には、紙伝票の削減や業務標準化による効率化等のメリットがある。一部のＩＴ企業からは、すでにこれに準拠したＥＤＩシステムがリリースされており、大手ＧＭＳ（Ｇｅｎｅｒａｌ  Ｍａｒｃｈａｎｄｉｃｅ  Ｓｔｏｒｅ）を中心に徐々にではあるが流通ＢＭＳによるＥＤＩ通信が実現し始めている。
【０００３】
上記のような流通ＢＭＳに関連した先行技術としては、特開２００３‐１７８２２２号公報（特許文献１）、特開２００７‐９４７７２号公報（特許文献２）、特開平１１‐２７２７４２号公報（特許文献３）、特開２００４‐１２６８２２号公報（特許文献４）があげられる。
【先行技術文献】
【特許文献】
【０００４】
【特許文献１】特開２００３‐１７８２２２号公報
【特許文献２】特開２００７‐９４７７２号公報
【特許文献３】特開平１１‐２７２７４２号公報
【特許文献４】特開２００４‐１２６８２２号公報
【発明の概要】
【発明が解決しようとする課題】
【０００５】
しかし小売業では、想定以上に流通ＢＭＳの普及が遅れている。その一因として、生鮮品における発注情報のＥＤＩ化が困難であり、現在も電話やＦＡＸ等のアナログな手段で情報交換を行っていることが挙げられる。
【０００６】
生鮮品の発注業務は、発注内容と実際に入荷される商品が異なるケースがあるなどの特性から電子化が困難であり、上記特許文献の従来の関連システムでは、発注情報のタイムリーな授受およびＥＤＩデータに対応したものはない。
【０００７】
また、コンピュータ関連の知識が十全といえない生鮮品の発注業務に関わる卸商、仲買人、小売商などの担当者が発注データをＸＭＬ形式などのフォーマットでやり取りすると発注に時間がかかる可能性がある。
【０００８】
一方で、生鮮品関連で小売業者と卸売業者との間でやり取りされる伝票は年間９３００万枚以上（平成２０年時点）にのぼる。これはスーパー業界で使用する伝票全体の４０％以上を占め、ＥＤＩ導入による効果が最も期待される業務である。このため、生鮮業務で取り交わされる発注情報を電子化し、ＥＤＩシステムに連携させる仕組みが求められている。
【０００９】
本発明の目的は、流通ＢＭＳに参加する卸商、仲買人、小売商などの担当者が認識し易い表計算のフォーマットで記載した発注データによりタイムリーな業務の情報交換を行い、情報の受信後に発注データをコンピュータが認識し易いＣＳＶ形式、ＸＭＬ形式に変換する手段（業務フロー）を提供することにある。
【００１０】
本発明の前記並びにその他の目的と新規な特徴は、本明細書の記述及び添付図面から明らかになるであろう。
【課題を解決するための手段】
【００１１】
本願において開示される発明のうち、代表的なものの概要を簡単に説明すれば、次の通りである。
【００１２】
本発明の代表的な実施の形態に関わる業務発注支援システムは外部との通信を行う外部インターフェースを含み、この外部インターフェースより受信した小売業者用端末からの発注台帳の提出先を検索し、提出先毎に発注台帳に基づく発注情報を振り分け、提出先毎に振り分けられた発注情報を卸売業者用端末への発注台帳に変換し、卸売業者用端末への発注台帳をＥＤＩデータに変換し、提出先毎に送信することを特徴とする。
【００１３】
本発明の代表的な実施の形態に関わる別の業務発注支援システムは外部との通信を行う外部インターフェースと、外部インターフェースを用いてデータの送受信を行う送受信部と、制御部と、変換部と、ＥＤＩデータ生成部と、を含む業務発注支援システムであって、送受信部が、外部インターフェースより受信した小売業者用端末からの発注台帳を受信し、制御部は、発注台帳の提出先を検索し、変換部に対して提出先毎に発注台帳の発注情報の振り分け、振り分けられた発注情報から卸売業者用端末への発注台帳への変換を指示し、制御部は、ＥＤＩデータ生成部に対して卸売業者用端末への発注台帳からＥＤＩデータを生成することを指示することを特徴とする。
【００１４】
本発明の代表的な実施の形態に関わる別の業務発注支援システムは外部との通信を行う外部インターフェースを含み、外部インターフェースより受信した卸売業者用端末からの発注台帳の提出先を検索し、提出先毎に発注台帳に基づく発注情報を振り分け、提出先毎に振り分けられた発注情報を小売業者用端末への発注台帳に変換し、提出先毎に送信することを特徴とする。
【００１５】
本発明の代表的な実施の形態に関わる別の業務発注支援システムは外部との通信を行う外部インターフェースと、外部インターフェースを用いてデータの送受信を行う送受信部と、制御部と、変換部と、を含み、送受信部が、外部インターフェースより受信した卸売業者用端末からの発注台帳を受信し、制御部は、発注台帳の提出先を検索し、変換部に対して提出先毎に発注台帳の発注情報の振り分け、振り分けられた発注情報から小売業者用端末への発注台帳への変換を指示することを特徴とする。
【発明の効果】
【００１６】
本発明の業務発注支援システムによれば、発注台帳の授受をデータ化することによるペーパレス化、変換機能を利用した集約作業の効率向上、流通ＢＭＳに準拠したＥＤＩデータの生成によるＥＤＩシステム利用の便益享受が可能となる。
【図面の簡単な説明】
【００１７】
【図１】本発明に関わる生鮮等業務発注支援システムの動作環境の全体図である。
【図２】生鮮等業務発注支援システムにおける、卸売業者用端末から受信した発注台帳を生鮮等業務発注支援システムで変換し、小売業者用端末に送信するまでのフローチャートである。
【図３】小売業者用端末から受信した発注台帳を生鮮等業務発注支援システムで変換し、流通ＢＭＳに準拠したＥＤＩデータを卸売業者用端末に送信するまでのフローである。
【図４】記録部に格納されるテーブルの一例を表す図である。
【図５】卸売業者用端末から送信される発注台帳の一例を表す図である。
【図６】小売業者用端末から送信される発注台帳の一例を表す図である。
【図７】ステップＳ２００５での、ＥＤＩデータ生成部によるＥＤＩデータを生成する手順を表すフローチャートである。
【発明を実施するための形態】
【００１８】
以下の実施の形態においては、便宜上その必要があるときは、複数のセクションまたは実施の形態に分割して説明する。しかし、特に明示した場合を除き、それは互いに無関係なものではなく、一方は他方の一部又は全部の変形例、詳細、補足説明などの関係にある。また、以下の実施の形態において、要素の数など（個数、数値、量、範囲などを含む）に言及する場合、特に明示した場合及び原理的に明らかに特定の数に限定される場合などを除き、その特定の数に限定されるものでなく、特定の数以上でも以下でも良い。
【００１９】
さらに、以下の実施の形態において、その構成要素は、特に明示した場合及び原理的に明らかに必須であると考えられる場合を除き、必ずしも必須のものでないことは言うまでもない。
【００２０】
以下、図を用いて本発明の実施の形態を説明する。
【００２１】
図１は、本発明に関わる生鮮等業務発注支援システム３０の動作環境の全体図である。
【００２２】
この生鮮等業務発注支援システムは、卸売業者用端末１０、インターネット２０、生鮮等業務発注支援システム３０、ＥＤＩ処理装置４０、小売業者用端末５０を含んで構成される。
【００２３】
卸売業者用端末１０は、卸売業者が業務用に用いるためのパーソナルコンピュータなどの操作端末である。
【００２４】
インターネット２０は、インターネットプロトコル技術を利用してコンピュータ間を相互接続するネットワークである。
【００２５】
生鮮等業務発注支援システム３０は、卸売業者用端末１０から送信される発注台帳データを変換し、小売業者用端末５０に送信するためのシステムである。生鮮等業務発注支援システム３０は、送受信部Ａ、記録部Ｂ、変換部Ｃ、ＥＤＩデータ生成部Ｄ、制御部Ｅを含んで構成される。
【００２６】
ＥＤＩ処理装置４０は、生鮮等業務発注支援システム３０で生成されたＥＤＩデータを、 企業間などで通信・授受するための装置である。
【００２７】
小売業者用端末５０は、小売業者が業務用に用いるためのパーソナルコンピュータなどの操作端末である。
【００２８】
なお、卸売業者用端末１０及び小売業者用端末５０は、複数台存在しても良い。また図１における全ての構成要素は、通信を行う外部インターフェースを当然に有するものとする。また、必要であればキーボードなどの入力手段を用意しても良い。
【００２９】
次にこのシステムの動作について説明する。
【００３０】
まず、卸売業者用端末１０から小売業者用端末５０への発注書の流れについて説明する。
【００３１】
図２は、生鮮等業務発注支援システム３０における、卸売業者用端末１０から受信した発注台帳を生鮮等業務発注支援システム３０で変換し、小売業者用端末５０に送信するまでのフローチャートである。
【００３２】
まず、送受信部Ａが卸売業者用端末１０から送信される発注台帳を受信し、割り込み等によりその旨を制御部Ｅに対して通知する（ステップＳ１００１）。
【００３３】
次に、制御部Ｅは記録部Ｂから発注台帳の提出元に紐付けられた発注台帳の提出先を検索する（ステップＳ１００２）。
【００３４】
提出元が確認できたら、制御部Ｅは、変換部Ｃに対して提出先毎に発注台帳に基づく発注情報を振り分けるよう指示する（ステップＳ１００３）。
【００３５】
ステップＳ１００３の振り分けが完了したら、制御部Ｅは変換部Ｃに対して提出先毎に振り分けられた発注情報を変換部Ｃに送信し、小売業者用端末５０向けの発注台帳に変換するように指示する（ステップＳ１００４）。
【００３６】
ステップＳ１００４での変換が終了したら、制御部Ｅは送受信部Ａに対して変換後の小売業者用端末５０向けの発注台帳、を対応する小売業者用端末５０に対して送信するように指示する（ステップＳ１００５）。送受信部Ａはこの指示を受けて小売業者用端末５０に対して小売業者用端末５０向けの発注台帳を送信する。
【００３７】
次に、小売業者用端末５０から卸売業者用端末１０への発注書の流れについて説明する。
【００３８】
図３は、小売業者用端末５０から受信した発注台帳を生鮮等業務発注支援システム３０で変換し、流通ＢＭＳに準拠したＥＤＩデータを卸売業者用端末１０に送信するまでのフローである。
【００３９】
まず、送受信部Ａが小売業者用端末５０から発注台帳を受信し、割り込み等によりその旨を制御部Ｅに対して通知する（ステップＳ２００１）。
【００４０】
次に、制御部Ｅは記録部Ｂから発注台帳の送信元である小売業者用端末５０に紐付けられた発注台帳の提出先を検索する（ステップＳ２００２）。
【００４１】
提出元が確認できたら、制御部Ｅは提出先毎に発注台帳に基づく発注情報を振り分けるよう変換部Ｃに対して指示する（ステップＳ２００３）。
【００４２】
ステップＳ２００３の振り分けが完了したら、制御部Ｅは変換部Ｃに対して提出先毎に振り分けられた発注情報を卸売業者用端末１０への発注台帳に変換するように指示する（ステップＳ２００４）。
【００４３】
ステップＳ２００４での変換が終了したら、制御部ＥはＥＤＩデータ生成部Ｄに対して、変換後の提出先毎に振り分けられた発注情報から流通ＢＭＳに準拠したＥＤＩデータ（ＸＭＬ形式）を生成する（ステップＳ２００５）。
【００４４】
そして、制御部ＥはステップＳ２００５で生成された流通ＢＭＳに準拠したＥＤＩデータを目的の卸売業者用端末１０に対して送信するよう送受信部Ａに対して指示を出す（ステップＳ２００６）。送受信部Ａはこの指示を受けて卸売業者用端末１０に対して流通ＢＭＳに準拠したＥＤＩデータを送信する。
【００４５】
次にステップＳ１００２、Ｓ２００２で参照される記録部Ｂに格納されるテーブルについて説明する。
【００４６】
図４は、記録部Ｂに格納されるテーブルの一例を表す図である。
【００４７】
本図においては１レコード毎に発注ＩＤと発注台帳の提出元の企業コード、部店コード、紐付けられた提出先の企業コード、部店コードが定義される。
【００４８】
発注ＩＤは受信した発注台帳に付与される発注ＩＤである。
【００４９】
１つの発注には複数の提出先が存在する場合もある。従って、１レコードは提出先毎に１件であり、複数のレコードで重複した発注ＩＤが付与されることもある。
【００５０】
提出元企業コードは発注台帳の送信元の端末（卸売業者用端末１０及び小売業者用端末５０）に一意に割り当てられる企業識別用のＩＤである。提出元部店コードは、前記提出元企業コードに関連した企業が複数の部店を持っている場合にそれぞれを識別する部店識別用のＩＤである。
【００５１】
紐付けられた提出先企業コードは発注ＩＤ、提出元企業コード及び提出元部店コードから導出される紐付けられた提出先の企業コードである。同様に提出先部店コードは発注ＩＤ、提出元企業コード及び提出元部店コードから導出される紐付けられた提出先の部店コードである。
【００５２】
次に、ステップＳ１００１で受信する卸売業者用端末１０から送信される発注台帳について説明する。
【００５３】
図５は、卸売業者用端末１０から送信される発注台帳の一例を表す図である。この卸売業者用端末１０から送信される発注台帳は所定の形式で記載される。
【００５４】
この図を見ても分かるように、この発注台帳は基本的にはヘッダ部とテーブル部に分かれる。
【００５５】
ヘッダ部には発注者名、発注日、納品日、作成日が含まれる。これらは「発注」という行為に属する情報であり、全ての「発注品」に共通の情報である。
【００５６】
一方、テーブル部は発注品単位で１レコードが発注品に属する情報を表す。１レコード中には、項番、商品名／規格、商品分類、バラ数毎原価、発注単位名、不定貫区分、商品重量、重量単位、国名、都道府県、原産エリア、標準商品コードがあげられる。
【００５７】
次に、ステップＳ２００１で小売業者用端末５０から送信される発注台帳について説明する。
【００５８】
図６は、小売業者用端末５０から送信される発注台帳の一例を表す図である。
【００５９】
この図の発注台帳も、「発注」に関する情報を表すヘッダ部と、「発注品」に属する情報を表すテーブル部に分かれる。
【００６０】
ヘッダ部には、発注日、納品日、発注金額合計が含まれる。
【００６１】
テーブル部には１または２以上のレコードを含めることができる。１つのレコードには問合せＩＤ、取引先名、商品名／規格、商品分類、単価、発注数量、発注単位名、原価金額、小計、不定貫区分、商品重量、重量単位、国名、都道府県、原産エリア、標準商品コードがあげられる。
【００６２】
図７は、ステップＳ２００５での、ＥＤＩデータ生成部ＤによるＥＤＩデータを生成する手順を表すフローチャートである。
【００６３】
まずＥＤＩデータ生成部Ｄは、ステップＳ２００４で変換された卸売業者用端末１０への発注台帳を記録部Ｂなどに記録する（ステップＳ３００１）。
【００６４】
次にＥＤＩデータ生成部Ｄは、変換された卸売業者用端末１０への発注台帳の情報を流通ＢＭＳのデータの順に作業フィールドに書き出す（ステップＳ３００２）。
【００６５】
次にＥＤＩデータ生成部Ｄは、書き出したファイルを“，”で区切り、ＣＳＶファイルに書き出す（ステップＳ３００３）。
【００６６】
最後にステップＳ３００３で変換したＣＳＶファイル及びＸＭＬファイルに変換する（ステップＳ３００４）。
【００６７】
以上により、発注台帳の授受をデータ化することによるペーパレス化、変換機能を利用した集約作業の効率向上、流通ＢＭＳに準拠したＥＤＩデータの生成によるＥＤＩシステム利用の便益享受が可能となる。
【００６８】
以上、本発明者によってなされた発明を実施の形態に基づき具体的に説明したが、本発明は前記の実施の形態に限定されるものではなく、その要旨を逸脱しない範囲で種々変更が可能であることは言うまでもない。
【産業上の利用可能性】
【００６９】
本発明により、発注元（卸売り、小売）の担当者への発注台帳の可視性の向上が図れ、生鮮品関連の発注台帳を元に生成した流通ＢＭＳに準拠したデータによるＥＤＩシステムのソフトウェア化及びＳａａＳ化を図ることが可能となる。
【符号の説明】
【００７０】
１０…卸売業者用端末、２０…インターネット、
３０…生鮮等業務発注支援システム、４０…ＥＤＩ処理装置、
５０…小売業者用端末、
Ａ…送受信部、Ｂ…記録部、Ｃ…変換部、Ｄ…ＥＤＩデータ生成部、Ｅ…制御部。
【図１】
0005755518.tif 000002
【図２】
0005755518.tif 000003
【図３】
0005755518.tif 000004
【図４】
0005755518.tif 000005
【図５】
0005755518.tif 000006
【図６】
0005755518.tif 000007
【図７】
0005755518.tif 000008